(57)【要約】【課題】管渠型側溝体の排水用開口からの排水性は確保しつつ、その排水用開口を塞ぐことができる透水性コンクリート部材を提供すること。【解決手段】管渠型側溝体２０の上面に設けられた排水用開口２１に嵌め込み可能な透水性コンクリート部材１０である。この透水性コンクリート部材１０の側面１２，１３及び１６，１７は、対向する側面２１ａ，２１ｂ及び２１ｅ，２１ｆの間隔が下方に向けて狭くなるように形成された前記排水用開口２１と面合する形状とする。また、透水性コンクリート部材の側面１２，１３，１６，１７は、前記排水用開口２１の側面２１ａ，２１ｂ，２１ｅ，２１ｆに形成された段部２１ｃ，２１ｄ，２１ｇ，２１ｈに対応する段部１４，１５，１８，１９を有する。【選択図】    図１
2004339900.tif 000002
【特許請求の範囲】
【請求項１】
管渠型側溝体の上面に設けられた排水用開口に嵌め込み可能な透水性コンクリート部材。
【請求項２】
透水性コンクリート部材の側面が、対向する側面の間隔が下方に向けて狭くなるように形成された前記排水用開口と面合する形状を有する請求項１に記載の透水性コンクリート部材。
【請求項３】
透水性コンクリート部材の側面が、前記排水用開口の側面に形成された段部に対応する段部を有する請求項２に記載の透水性コンクリート部材。
【請求項４】
長手方向に沿って補強用部材が埋設されている請求項１〜３の何れかに記載の透水性コンクリート部材。
【発明の詳細な説明】
【０００１】
【発明の属する技術分野】
本発明は、管渠型側溝体の上面に設けられた排水用開口に嵌め込まれる透水性コンクリート部材に関する。
【０００２】
【従来の技術】
従来、雨水等を流すために道路の歩車道境界部には側溝が設けられており、その側溝は、複数の側溝体を連設して敷設することによって形成されている。
【０００３】
その側溝体としては、管渠型、暗渠型、門型、Ｕ字型等のものが知られており、そのうち、管渠型側溝体としては、例えば特許文献１に記載されているものが知られている。
【０００４】
この管渠型側溝体の上面には、雨水等を流入させるために排水用開口が設けられており、その排水用開口が小さい場合はそのまま開放され、大きい場合はグレーチング蓋によって覆われている。
【０００５】
【特許文献１】
特開平１１−２６４１７８号公報
【０００６】
【発明が解決しようとする課題】
しかし、排水用開口をグレーチング蓋で覆ったとしても、グレーチング蓋の開口にハイヒールのヒール部分や、車椅子やベビーカーの車輪が嵌り込むことがあり、歩行者等の通行の妨げとなっていた。
【０００７】
近年、バリヤフリー社会が提唱されるなか、管渠型側溝体の排水用開口からの排水性は確保しつつ、その排水用開口を塞ぐことができる手段が望まれている。
【０００８】
そこで、本発明が解決しようとする課題は、管渠型側溝体の排水用開口からの排水性は確保しつつ、その排水用開口を塞ぐことができる透水性コンクリート部材を提供することにある。
【０００９】
【課題を解決するための手段】
上記課題を解決するために、本発明では、管渠型側溝体の排水用開口を塞ぐために透水性コンクリートを利用したもので、本発明に係る透水性コンクリート部材は、管渠型側溝体の上面に設けられた排水用開口に嵌め込み可能であることを特徴としている。
【００１０】
透水性コンクリート部材の側面は、対向する側面の間隔が下方に向けて狭くなるように形成された前記排水用開口と面合する形状とする。
【００１１】
また、透水性コンクリート部材の側面は、前記排水用開口の側面に形成された段部に対応する段部を有する。
【００１２】
さらに、本発明の透水性コンクリート部材には、その長手方向に沿って鉄筋等の補強用部材を埋設する。
【００１３】
【発明の実施の形態】
以下、本発明の実施の形態を図面に示す実施例に基づき説明する。
【００１４】
図１は、本発明の透水性コンクリート部材と、これを嵌め込む管渠型側溝体を示す斜視図である。図２は、透水性コンクリート部材を管渠型側溝体の排水用開口に嵌め込んだ状態の斜視図、図３は、図２のＡ−Ａ線断面図である。
【００１５】
同図に示す管渠型側溝体２０は、道路の歩車境界部に連設して埋設されるもので、その上面には路面上の雨水等を排水するための排水用開口２１が設けられている。また、管渠型側溝体２０の車道側に面する上面は、雨水等が排水用開口２１に流れ込みやすくなるように、排水用開口２１に向かって低くなる傾斜面２２とされている。
【００１６】
排水用開口２１の対向する一方の側面２１ａ，２１ｂは、その間隔が下方に向けて狭くなるように形成されており、その途中に段部２１ｃ，２１ｄを有する。また、排水等開口２１の対向する他方の側面２１ｅ，２１ｆも、その間隔が下方に向けて狭くなるように形成されており、その途中に段部２１ｇ，２１ｈを有する。
【００１７】
管渠型側溝体２０の排水用開口２１に嵌め込まれる透水性コンクリート部材１０は、透水性コンクリートで形成されており、その長手方向には補強用の鉄筋１１が埋設されている。また、透水性コンクリート部材１０の対向する一方の側面１２，１３は、排水用開口２１の対向する一方の側面２１ａ，２１ｂとほぼ同一の形状を有し、その間隔が下方に向けて狭くなるように形成され、その途中に段部１４，１５を有する。透水性コンクリート部材１０の対向する他方の側面１６，１７は、排水用開口２１の対向する他方の側面２１ｅ，２１ｆとほぼ同一の形状を有し、その間隔が下方に向けて狭くなるように形成され、その途中に段部１８，１９を有する。
【００１８】
図２，３に示すように、透水性コンクリート部材１０を嵌め込んだ状態では、その段部１４，１５が排水用開口２１の段部２１ｃ，２１ｄに載置され、また、図示を省略しているが、透水性コンクリート部材１０の段部１８，１９も排水用開口２１の段部２１ｇ，２１ｈに載置される。そして、透水性コンクリート部材１０の対向する一方の側面１２，１３は、排水用開口２１の対向する一方の側面２１ａ，２１ｂと面合し、透水性コンクリート部材１０の対向する他方の側面１６，１７は、排水用開口２１の対向する一方の側面２１ｅ，２１ｆと面合している。このように、透水性コンクリート部材１０のテーパー状の各側面を排水用開口２１のテーパー状の各側面に面合させることで、透水性コンクリート部材１０のがたつきを防止し、騒音の発生を防止できる。
【００１９】
図４は、本発明の他の実施例を示す斜視図である。先の実施例では、透水性コンクリート部材１０を一箇所に嵌め込むようにしたが、図４に示すように、複数箇所に嵌め込むようにしても良い。
【００２０】
【発明の効果】
本発明によれば、管渠型側溝体の排水用開口からの排水性は確保しつつ、その排水用開口を塞ぐことができるので、管渠型側溝体の排水用開口が歩行者等の通行の妨げになることがなく、バリアフリーの要求にも適応することができる。
【００２１】
また、透水性コンクリート部材のテーパー状の各側面を排水用開口のテーパー状の各側面に面合させることで、透水性コンクリート部材のがたつきを防止し、騒音の発生を防止できる。
【図面の簡単な説明】
【図１】本発明の透水性コンクリート部材と、これを嵌め込む管渠型側溝体を示す斜視図である。
【図２】透水性コンクリート部材を管渠型側溝体の排水用開口に嵌め込んだ状態の斜視図である。
【図３】図２のＡ−Ａ線断面図である。
【図４】本発明の他の実施例を示す斜視図である。
【符号の説明】
１０  透水性コンクリート部材
１１  鉄筋（補強用部材）
１２，１３  一方の側面
１４，１５  段部
１６，１７  他方の側面
１８，１９  段部
２０  管渠型側溝体
２１  排水用開口
２１ａ，２１ｂ  一方の側面
２１ｃ，２１ｄ  段部
２１ｅ，２１ｆ  他方の側面
２１ｇ，２１ｈ  段部
２２  傾斜面
【図１】
2004339900.tif 000003
【図２】
2004339900.tif 000004
【図３】
2004339900.tif 000005
【図４】
2004339900.tif 000006